(57)【要約】【課題】適切な通風性を確保することにより、洗濯物の乾燥に要する時間を短縮することのできる洗濯物ハンガーを提供する。【解決手段】洗濯物ハンガーＡは、所定間隔を有して略平行に配置される複数の枠材１０を有するハンガー本体１と、該ハンガー本体１を吊下するための吊下具２と、前記枠材１０の長手方向に所定間隔を有して取付けられる複数のピンチ４とを備えている。一端部側に位置する枠材１０に取付けられたピンチ４ほど上方位置に配されている。【選択図】図１
0003161872.tif 000002
【実用新案登録請求の範囲】
【請求項１】
所定間隔を有して略平行に配置される複数の枠材を有するハンガー本体と、該ハンガー本体を吊下するための吊下具と、前記枠材の長手方向に所定間隔を有して取付けられる複数のピンチとを備えた洗濯物ハンガーであって、
一端部側に位置する前記枠材に取付けられた前記ピンチほど上方位置に配されていることを特徴とする洗濯物ハンガー。
【請求項２】
隣り合う前記枠材に夫々取付けられた前記ピンチは、前記枠材の長手方向に相互に位置ずれするように配されている請求項１記載の洗濯物ハンガー。
【請求項３】
前記ピンチが連結具を介して前記ハンガー本体に取付けられた請求項１又は２記載の洗濯物ハンガー。
【請求項４】
前記ピンチの絡み合いを防止すべく、前記枠材と略平行に配され且つ該枠材に取付けられた前記連結具を相互に連結する連結部材をさらに備えている請求項３記載の洗濯物ハンガー。
【考案の詳細な説明】
【技術分野】
【０００１】
本考案は、多数の洗濯物を吊るして干すことのできる洗濯物ハンガーに関するものである。
【背景技術】
【０００２】
一般に、この種の洗濯物ハンガーは、例えば靴下、タオル類、その他小物衣類等の洗濯物を省スペースで効率良く干すことができるという利点を有しているために、従来より幅広く使用されるに至っている。そして、従来の洗濯物ハンガーとしては、例えば特許文献１に示すようなものが知られている。
【０００３】
すなわち、この従来のものは、所定の間隔を有して連結された上下２段の枠部材と、上側の枠部材を吊下する吊下具と、連結具を介して各枠部材に吊下される多数のピンチとを備えている。また、連結具は夫々同一の長さに設定されており、各枠部材に取付けられるピンチは夫々同一の高さに配置されることになる。
【先行技術文献】
【特許文献】
【０００４】
【特許文献１】特開２００６−１８７５７２号公報
【考案の概要】
【考案が解決しようとする課題】
【０００５】
ところで、一般に洗濯物の乾燥時間の短縮化を図るためには、単に湿気の少ない環境下において、日光に当てるということだけでは不十分であり、適切な通風性を確保することが必要である。
【０００６】
しかしながら、上記従来の洗濯物ハンガーは、干される洗濯物相互間の関係については一切考慮がなされておらず、各枠部材に取付けられるピンチが夫々同一の高さに配置されるために、これに吊下される各洗濯物が相互に風通しを妨げ合うという難点を有していたのである。このため、洗濯物の乾燥に必要以上の時間を要することになって、洗濯物の乾燥を効率的に行えないという大なる問題点があった。
【０００７】
本考案は、かかる点に鑑みてなされたものであり、その目的とするところは、適切な通風性を確保することにより、洗濯物の乾燥に要する時間を短縮することのできる洗濯物ハンガーを提供することにある。
【課題を解決するための手段】
【０００８】
本考案に係る洗濯物ハンガーは、所定間隔を有して略平行に配置される複数の枠材を有するハンガー本体と、該ハンガー本体を吊下するための吊下具と、前記枠材の長手方向に所定間隔を有して取付けられる複数のピンチとを備えた洗濯物ハンガーであって、一端部側に位置する前記枠材に取付けられた前記ピンチほど上方位置に配されていることを特徴としている。
【０００９】
これによれば、吊下具を介してハンガー本体が支柱等に吊下された状態で、洗濯物はピンチに取付けられて干されることになる。この場合、一端部側に位置する枠材に取付けられたピンチほど上方位置に配されているために、例えば洗濯物の大きさや長さ等の形態を考慮しつつ各洗濯物を所定のピンチに取付けることにより、ハンガー本体の一端部側から見て、洗濯物相互の重なり合いを適切に回避することが可能になる。このことにより、良好な通風性が確保されるために、洗濯物の乾燥に要する時間を短縮することができる。
【００１０】
また、隣り合う前記枠材に夫々取付けられた前記ピンチは、前記枠材の長手方向に相互に位置ずれするように配されていてもよい。
【００１１】
これによれば、枠材の長手方向と直交する方向から洗濯物ハンガーを見ると、隣り合う枠材にピンチを介して夫々吊下された洗濯物は、相互に重なり合わない状態で干されることになる。このことにより、枠材の長手方向と直交する方向における洗濯物相互間の重なり部分が大幅に低減されるために、この方向における良好な通風性を維持することが可能になる。従って、洗濯物の乾燥時間をさらに短縮することができる。
【００１２】
また、前記ピンチは連結具を介して前記ハンガー本体に取付けられるようにしても構わない。
【００１３】
これによると、連結具の長さを適宜変更することにより、ハンガー本体の一端部側の枠材に取付けられたピンチほど上方位置に配することが可能になる。このような連結具の長さを変更するという極めて簡単な方法により、良好な通風性を確保することができて、洗濯物の乾燥時間を短縮化することが可能になる。
【００１４】
また、前記ピンチの絡み合いを防止すべく、前記枠材と略平行に配され且つ該枠材に取付けられた前記連結具を相互に連結する連結部材をさらに備えさせてもよい。
【００１５】
これによれば、連結部材によって各連結具の移動範囲が規制されるために、ピンチ同士が絡み合うことを適切に防止することができて、使い勝手が大変良好なものになる。
【００１６】
さらに、本考案に係る洗濯物ハンガーは、全体が非常に簡易な構成からなるために、その製作も容易に且つ安価に行える。
【考案の効果】
【００１７】
本考案によれば、適切な通風性を確保されて、洗濯物の乾燥に要する時間を短縮することのできる洗濯物ハンガーを得ることができる。
【図面の簡単な説明】
【００１８】
【図１】本考案の一実施形態を示す洗濯物ハンガーの斜視図である。
【図２】同正面図である。
【図３】同側面図である。
【図４】同断面図である。
【図５】（ａ）は洗濯物ハンガーの一部を示す断面図で、（ｂ）はハンガー本体の一部を示す斜視図で、（ｃ）は吊下具の下端部を示す斜視図である。
【図６】本考案に係る洗濯物ハンガーの一使用例を示す側面図である。
【図７】他の実施形態を示す洗濯物ハンガーの側面図である。
【図８】他の実施形態を示す洗濯物ハンガーの斜視図である。
【図９】同正面図である。
【図１０】同側面図である。
【考案を実施するための最良の形態】
【００１９】
以下、本考案に係る洗濯物ハンガーの一実施形態について、図面に従って説明する。洗濯物ハンガーＡは、図１〜図３に示すように、枠状に形成されたハンガー本体１と、ハンガー本体１を吊下するための吊下具２と、ハンガー本体１に紐状の連結具３を介して取付けられる複数のピンチ４とを備えている。ハンガー本体１、吊下具２及びピンチ４は合成樹脂からなっている。但し、その具体的な材質は決してこれに限定されるものではない。
【００２０】
ハンガー本体１は、所定間隔を有して略平行状に配置される複数の枠材１０と、これらを両端部及び中央部で連結すべく各枠材１０に直交させて配置される複数の連結材１１とを備えている。枠材１０は、図４に示すように断面略コの字状に形成されており、連結材１１も同様に構成されている。
【００２１】
枠材１０には、図１及び図４に示すように、通孔１２が長手方向（図１の矢印Ｘ方向）に所定間隔を有して複数形成されている。長手方向と直交する方向（図１の矢印Ｙ方向）からみると、第１列目に配置された一端部側の枠材１０ａと第３列目に配置された枠材１０ｃとに夫々形成された通孔１２ａ、１２ｃの位置は略一致している。同じく矢印Ｙ方向からみると、第２列目に配置された枠材１０ｂと第４列目に配置された他端部側の枠材１０ｄとに夫々形成された通孔１２ｂ、１２ｄの位置は略一致している。すなわち、矢印Ｙ方向からみて、通孔１２ａ、１２ｃと通孔１２ｂ、１２ｄとは矢印Ｘ方向に所定間隔を有して位置ずれするように配置されている。
【００２２】
吊下具２は、例えば図２〜図４に示すように、物干し竿やパイプＢ等に係止されるフック部２０と、ハンガー本体１の中央の連結材１１に形成した円筒状部１３に取付けられる軸部２１とからなっている。図５（ａ）に示すように，軸部２１の下端に形成された雄ネジ部２２にはリング部材２３が挿通され、雄ネジ部２２に螺合される雌ネジ体２４により軸部２１とハンガー本体１とが固定されている。リング部材２３の上面には、同図（ｃ）に示すように凹凸部２５が径方向に形成されている。ハンガー本体１の円筒状部１３の上部内周面には内向き凸部２６が環状に設けられており、その下面にはリング部材２３の凹凸部２５に嵌合する凹凸部２７が径方向に形成されている。各凹凸部２５、２７の嵌合位置を変更することにより、吊下具２に対するハンガー本体１の水平方向の角度を調整することができる。なお、吊下具２の構成はこれに限られる訳ではなく、例えば軸部２１を直接ハンガー本体１に取付けずに、チェーンを介して軸部２１とハンガー本体１のコーナー部分とを取付けるようにしても構わない。
【００２３】
連結具３の両端部にはリング３０が設けられており、上端部のリング３０はハンガー本体１の所定の通孔１２に取付けられ、下端部のリング３０はピンチ４のリングバネ３１に取付けられる。ハンガー本体１に取付けられた各連結具３の長さは、次のように設定されている。すなわち、図３に示すように、第１目の枠材１０ａに取付けられた各連結具３ａの長さをＰとし、第２列目の枠材１０ｂに取付けられた各連結具３ｂの長さをＱとし、第３列目の枠材１０ｃに取付けられた各連結具３ｃの長さをＲとし、第４列目の枠材１０ｄに取付けられた各連結具３ｄの長さをＳとすると、Ｓ＞Ｒ＞Ｑ＞Ｐとなるように構成されており、他端部側に位置する連結具３ほど漸次長くなるように設定されている。これにより、各ピンチ４は一端部側の位置するものほど上方位置に配されることになる。
【００２４】
本実施形態に洗濯物ハンガーＡは、以上のような構成からなっている。次に、その一使用例について、例えば同一寸法及び形状からなる靴下等の洗濯物Ｃを干す場合について説明する。洗濯物Ｃは、図６に示すように、その上端部をピンチ４により挟持した状態で吊下される。この場合、一端部側の位置するピンチ４ほど上方位置に配されているために、一端部側の枠材１０ａに吊下された洗濯物Ｃほど上方位置に干されることになる。また、矢印Ｙ方向から見ると、ハンガー本体１の各枠材１０に夫々形成された通孔１２ａ、１２ｃと通孔１２ｂ、１２ｄとは矢印Ｘ方向に所定間隔を有して位置ずれするように配置されているために、矢印Ｙ方向から見て、隣り合う枠材１０ａと１０ｂとに夫々吊下された洗濯物Ｃは、相互に重なり合わない状態で干されることになる。この関係は、隣り合う枠材１０ｂと１０ｃ、及び枠材１０ｃと１０ｄとの間にも成立する。このようにして、矢印Ｙ方向における洗濯物Ｃ相互間の重なり部分が大幅に低減されるために、この方向における良好な通風性を維持することが可能になる。従って、洗濯物Ｃの乾燥時間を短縮することができる。
【００２５】
一方、大きさや形状等の形態が相違する洗濯物Ｃを干す場合は、その形態の相違を考慮しつつ所定のピンチ４に洗濯物Ｃを吊下すれば、この場合も良好な通風性を確保することが可能となり、洗濯物Ｃの乾燥時間の短縮化を図ることができる。このように、洗濯物Ｃの形態に拘らずに、その乾燥時間を確実に短縮することができるのである。
【００２６】
また、本実施形態に係る洗濯物ハンガーＡは、全体が非常に簡易な構成からなるために、その製作も容易に且つ安価に行えるという実用的な利点も有している。
【００２７】
なお、上記実施形態においては、矢印Ｙ方向から見て、ハンガー本体１の各枠材１０に夫々形成される通孔１２ａ、１２ｃと通孔１２ｂ、１２ｄとが矢印Ｘ方向に所定間隔を有して位置ずれするように構成したが、必ずしもこのように位置ずれさせる必要はなく、例えば矢印Ｙ方向から見て、全通孔１２ａ〜１２ｄの位置が一致する構成しても構わない。
【００２８】
また、上記実施形態におけるピンチ４は、異なる所定の長さに設定された連結具３を介してハンガー本体１に取付けている。しかしながら、ピンチ４は直接ハンガー本体１に取付けてもよく、また同じ長さの連結具３を介してハンガー本体１に取付けるようにしても構わない。例えば図７に示すように、吊下具２によりハンガー本体１を吊下した際に、ハンガー本体１の一端部側の枠材１０ａほど上方に配されるように、所定の長さに形成されたチェーン４０を介して吊下具２の軸部２１とハンガー本体１のコーナー部分とを取付けるように構成する。この場合も、一端部側の枠材１０ａに取付けられるピンチ４ほど上方位置に配されることになり、上記実施形態と同様の作用効果を得ることができる。
【００２９】
また、連結具３の長さが長くなると、連結具３が相互にもつれてピンチ４が絡み易くなる。これを防止するために、次のような連結部材５０をさらに備えさせてもよい。この連結部材５０は、図８に示すように、連結具３を挿通可能な複数の孔５１が所定間隔を有して形成された板状体からなるものであり、合成樹脂製である。各孔５１に連結具３が挿通されて、連結具３の下部側所定位置に連結部材５０が略水平に固定されている。これにより、図８〜図１０に示すように、連結具３は第２列目〜第４列目の各枠材１０ｂ〜１０ｄに略平行に夫々配された各連結部材５０を介して相互に連結されることになる。第１列目の枠材１０ａに取付けられた連結具３の長さは短く、ピンチ４同士の絡み合いを考慮する必要がないために、これらの連結具３には連結部材５０は取付けられていない。連結部材５０は、連結具３の長さ等を考慮しつつ、必要に応じて取付ければよいものである。これによれば、連結部材５０によって各連結具３の移動範囲が規制されるために、ピンチ４同士が絡み合うことを適切に防止することができて、使い勝手が大変良好なものになる。なお、連結部材５０は必ずしも板状体で構成する必要はなく、例えば棒状体や紐状体等で構成しても構わない。
【００３０】
その他、ハンガー本体１及びピンチ４の形状や構造等の具体的な構成も、本考案が意図する範囲内において任意に設計変更自在である。
【符号の説明】
【００３１】
１    ハンガー本体
２    吊下具
３    連結具
４    ピンチ
１０    枠材
５０    連結部材
Ａ    洗濯物ハンガー
【図１】
0003161872.tif 000003
【図２】
0003161872.tif 000004
【図３】
0003161872.tif 000005
【図４】
0003161872.tif 000006
【図５】
0003161872.tif 000007
【図６】
0003161872.tif 000008
【図７】
0003161872.tif 000009
【図８】
0003161872.tif 000010
【図９】
0003161872.tif 000011
【図１０】
0003161872.tif 000012